(57)【要約】      （修正有）【課題】紙質又は樹脂膜片等の板状材を使用した、軽くて丈夫な簡易スタンドを提供する。【解決手段】（１）写真立て等のスタンドを使用する際，スタンドを支えるため，裏台紙に，自由に開閉する支脚部を設けることにより，任意の傾きでスタンドを立てることができる。（２）表と裏の両面を使用することができる。（３）非使用時には，支脚部を閉脚することにより，台紙と支脚部が一体となって平坦な板状体になる。【選択図】図４
0003110909.tif 000002
【実用新案登録請求の範囲】
【請求項１】
大きさの異なる２枚の紙質又は樹脂膜片等の板状材からなる台紙を二つ折りにして貼り合わせ，両台紙に，開脚可能な支脚部を設けた，表面も裏面も使用することが可能な簡易スタンドであり，
（１）大きな台紙は，表台紙とし，二つ折りにすることにより，両面に写真等を展示するとともに，開脚可能な支脚部を形成する。
（２）小さな台紙は，裏台紙とし，二つ折りにし，底辺部を表台紙と貼り合わせることにより，表台紙を保持するとともに，開脚可能な補助支脚部を形成する。
この裏台紙は，二つ折りにし，逆Ｖ字型になった両表面の底辺部に，適当な幅の糊代をとり，表台紙の逆Ｖ字型の両裏面の底辺部と貼り合わせる。
これらにより，自由に開脚角度を調節でき，一定角度以上の開脚の防止が可能な支脚部を設けたことと，両台紙と支脚部で形成される支脚部の折曲部分周辺において，糊付けされない遊びの空間が生ずることにより，丈夫な支脚部を設けたことを特徴とする表と裏の両面が使用可能な簡易スタンド。
【考案の詳細な説明】
【技術分野】
【０００１】  この考案は，写真立て等のスタンドを使用する際，スタンドを支えるため，裏台紙に，自由に開閉する支脚部を設けることにより，任意の傾きでスタンドを立てることができ，また，表と裏の両面を使用することができ，さらに，非使用時には，支脚部を閉脚することにより，台紙と支脚部が一体となって平坦な板になる，紙質又は樹脂膜片等の板状材を使用した，大きさを変えることにより多用途に利用できる，軽くて丈夫な簡易スタンドに関するものである。
【背景技術】
【０００２】  従来，両面使用可能な写真立て等のスタンドは，木，樹脂製の支脚部を有し，表も裏も同一材質の透明樹脂製の三角型の固定スタンドが多かった。
【考案が解決しょうとする課題】
【０００３】  これらは，次のような問題点があった。
両面使用可能なスタンドは，平坦なスタンド部とそのスタンド部に垂直あるいは多少の傾斜を持たせて直立させた透明樹脂製の三角型固定式スタンドで，商店のメニュ−スタンド等，営業用のものが多く，また，値段も高くなっている。
さらに，固定化された三角型のスタンドが多く，傾斜角度が変えられないとか非使用時の保管がかさばる等の問題があった。
本考案は，以上のような欠点をなくし，簡単に，安全に，経済的に使用できるように考えたものである。
【課題を解決するための手段】
【０００４】（１）大きさの異なる大小２枚の紙質又は樹脂膜片等の板状材から台紙をそれぞれ二つ折りにする。
（２）大きな台紙は，表台紙とし，二つ折りにすることにより，両面に写真等を展示できるとともに，開脚可能な支脚部が形成される。
（３）小さな台紙は，裏台紙とし，二つ折りにし，底辺部を表台紙と貼り合わせることにより，表台紙が保持するとともに，開脚可能な補助支脚部が形成される。
（４）この裏台紙は，二つ折りにし，逆Ｖ字型になった両表面の底辺部に，適当な幅の糊代をとり，表台紙の逆Ｖ字型の両裏面の底辺部に貼り合わせる。
（５）これらにより，自由に開脚角度を調節でき，一定角度以上の開脚の防止が可能な支脚部が設けられ，さらに，両台紙と支脚部で形成される支脚部の折曲部分周辺（逆Ｖ字型の頂点周辺）において，糊付けされない遊びの空間が生ずることにより，丈夫な支脚部が設けられる。
（６）このようにして形成される支脚部は，必要に応じて開脚することにより，表と裏の両面が使用可能な簡易スタンドとなり，また，非使用時には，閉脚することにより，ほぼ真っ平な板状体となる。
【考案を実施するための最良の形態】
【０００５】以下，本考案を実施するための最良の形態について説明する。
（１）写真等のスタンドを立てる場合，両台紙を開く。
（２）写真等のスタンドの傾き角度は，両台紙の開きの大小により調節する。補助支脚により，一定以上の開脚は防止されるとともに，必要な角度での開脚が保持される。
（３）写真等のスタンドをしまう場合は，両台紙を閉じる。
この場合，両台紙は凹凸のない平坦な板状体となる。
（４）写真等のスタンドを立てる場合，表でも裏でもあるいは表裏両面でも利用が可能である。
【考案の効果】
【０００６】  デジカメ，プリンタ−の普及等により，写真の愛好者が増えている。
写真は，撮る楽しみ，見る楽しみ，飾る楽しみ，人にあげる楽しみがあり，そのための器材は整っているが，簡単に，安全に，経済的に使用できるスタンドは見当たらない。
また，ポストカ−ド，絵手紙，絵葉書等も，人気があるものの，簡単に，安全に，経済的に使用できるスタンドは見当たらない。
本考案の簡易スタンドは，表台紙と裏台紙の両面が使用可能なスタンドで自由に傾斜角度を変えられるとともに，非使用時には，ほぼ真っ平になるなど，デザイン的にも，すっきりしている。
また，本簡易スタンドは，写真等の展示に止まらず，大きさ，形状を変えることにより，プライスカ−ド立て，ネ−ムプレ−ト立て等の比較的小さなものから，商店等での展示スタンド，立て看板等にも使用が可能である。
本考案は，写真等を見る楽しみ，飾る楽しみ，人にあげる楽しみを，より大きくするために考えたもので，
（１）表と裏の両面が使用可能である。
（２）安全である。
（３）軽く，薄く，丈夫である。
（４）何回でも使える。
（５）しまったり持ち歩いたり送ったりする際，平らでぺちゃんこの状態になるので，扱いやすい。また，何枚でも重ねることができる。
（６）安価である。
等の特徴をもっている。
さらに，この簡易スタンドの応用例としては，
（１）表台紙及び裏台紙からなる簡易スタンドは，これ自体，目的に合ったサイズのものを用意することにより，両台紙に写真等の展示物を展示することができる。
（２）両台紙に，さらに表示窓等を付けた台紙を貼ったり，透明樹脂板を貼ったり，サイズを変えることにより，写真，ポストカ−ド，プライスカ−ド，メニュ−カ−ド，ネ−ムプレ−トとしても使用できる。
また，両台紙の形状を変えることにより，表と裏が，それぞれ独立して使用できる。
（３）この簡易スタンドは，紙を重ね合わせた薄くて軽いものから，厚紙やプラスチック板等をつかった重厚なもの，さらに，表紙部分を木，アルミ等の金属，ガラス等に変えることにより，簡素なスタンドからより高級なスタンドまで，用途に合わせ多種多様な簡易スタンドとすることができる。
（４）この簡易スタンドの作製方法として，次の方法が考えられる。
▲１▼  図５に示すとおり，１枚の紙質又は樹脂膜片等の板状材を，三つ折りにして，底辺部を糊付けする方法。
▲２▼  図６に示すとおり，同一サイズの表台紙及び裏台紙と，この２枚の台紙を接合するとともに，支脚部を構成するために，両台紙の２倍以上の大きさを有する１枚の紙質又は樹脂膜片等の板状材を，二つ折りにし，逆Ｖ字型にして，片側面の中央部に帯状の切り込みを入れることによりでき舌状の支脚部を二つ折りにしその先端部を，片側面の裏側に糊付けし，さらに，両台紙と貼り合わせる方法。
▲３▼  図７に示すとおり，簡易スタンドの頂点に，リングを設置し，これに複数の紙を通して，カレンダ−やメモ用紙として使用する方法。
【図面の簡単な説明】
【０００７】
【図１】  本考案の簡易スタンドの正面図である。
0003110909.tif 000003
【図４】  本考案の簡易スタンドの斜視図である。
【図５】  １枚の紙等で作る簡易スタンドの展開図である。
【図６】  表と裏が異なる簡易スタンドの展開図である。
【図７】  リングを設置した簡易スタンドの展開図である。
【符号の説明】
【０００８】  １  表台紙
２  裏台紙
３  支脚部（スタンド）
４  補助支脚部
５  折り曲げ線
６  のりしろ
７  リング
【図１】
0003110909.tif 000004
【図２】
0003110909.tif 000005
【図３】
0003110909.tif 000006
【図４】
0003110909.tif 000007
【図５】
0003110909.tif 000008
【図６】
0003110909.tif 000009
【図７】
0003110909.tif 000010